(57)【要約】【課題】通帳挿入口にセンサを設置し，通帳挿入口に対する通帳の挿入状態をこのセンサで監視することにより通帳詰まりが生じるのを未然に防止することのできる通帳取り扱い装置を提供する。 【解決手段】装置本体２の前面には通帳挿入ガイド４が設けられ、この通帳挿入ガイド４の通帳挿入口には第２の光学センサ９と、搬送ローラ２０と、第１の光学センサ５とが通帳搬送方向に沿って設けられている。第２の光学センサ９は、通帳の左端部付近と右端部付近にそれぞれ設けられ、通帳の前端部が通過するかどうかを検出することにより通帳が斜め方向に挿入されたかどうかを検出する。搬送ローラ２０は、通帳が正しい方向に挿入されたときに通帳を吸入する。第１の光学センサ５は、通帳の左端部付近と右端部付近にそれぞれ設けられ、通帳の吸入時にふくらみが生じているかどうかを検出する。【選択図】図１０
2007172298.tif 000002
【特許請求の範囲】
【請求項１】
通帳が挿入される通帳挿入口と、この通帳挿入口に挿入された通帳を後方に搬送する搬送ローラとを備える通帳取り扱い装置において、
前記通帳挿入口の挿入口上部と挿入口下部との間に光軸が設定され通帳の幅方向に複数個配置された第１の光学センサを備え、通帳挿入時にこれらの第１の光学センサの受光電圧に基づいて通帳のふくらみの程度を検出することを特徴とする通帳取り扱い装置。
【請求項２】
前記第１の光学センサは、前記通帳挿入口の左端部近辺と右端部近辺において、前記光軸が通帳の幅方向に沿って内側から外側に向くように設けられている透過型光学センサである請求項１記載の通帳取り扱い装置。
【請求項３】
前記第１の光学センサは、前記通帳挿入口の左端部近辺と右端部近辺において、前記光軸が垂直方向となるように設けられている反射型光学センサである請求項１記載の通帳取り扱い装置。
【請求項４】
前記挿入口下部の左端部近辺と右端部近辺に配置され、光軸が通帳の裏面に向けられた反射型の第２の光学センサを備えたことを特徴とする請求項１〜３のいずれかに記載する通帳取り扱い装置。
【請求項５】
前記第２の光学センサは、前記第１の光学センサの前方に配置された請求項４記載の通帳取り扱い装置。
【請求項６】
前記通帳挿入口に通帳の前端部が挿入されたときの前記第２の光学センサの出力により通帳が斜め方向に挿入されたか否かを検出し、正しい方向に挿入されていることを検出すると前記搬送ローラを駆動して通帳を後方に搬送し、さらに、前記第１の光学センサの出力により通帳がふくらんだ状態で搬送されているか否かを検出する制御手段と、
前記制御手段により、通帳が斜め方向に挿入されたことを検出したとき、及び、通帳がふくらんだ状態で搬送されたことを検出したときに、通帳の再挿入を促すよう表示する表示手段と、を備えた請求項５記載の通帳取り扱い装置。
【発明の詳細な説明】
【技術分野】
【０００１】
この発明は、通帳を取り扱う自動取引処理装置、通帳証書発行機、通帳繰越機、通帳プリンタ等、通帳を取り扱う装置に関する。
【背景技術】
【０００２】
通帳取り扱い装置の通帳挿入口には、この通帳挿入口に通帳を挿入するための通帳挿入ガイドが設けられ、その大きさや形状は、通帳のサイズ（幅、厚さ）に対応して設定されている（例えば、特許文献１）。通帳挿入ガイドの一例としては、通帳の搬送路に基準を設け、この基準となる場所に通帳を左右から寄せるように前方が幅広になった形状を備えたものがある。顧客は、通帳挿入ガイドに通帳を挿入すると、この通帳が基準となる位置に正しく寄せられて搬送ローラにより後方に搬送されるようになる。このような簡単な構成によって、通帳挿入口においての通帳を詰まりの防止を図っている。
【特許文献１】特開平６−９９６８０号公報
【発明の開示】
【発明が解決しようとする課題】
【０００３】
しかしながら、通帳挿入口に通帳挿入ガイドを設けるだけでは、次に述べるような不具合を生じていた。
【０００４】
以下、図１〜図３を参照してこの問題点について説明する。
【０００５】
図１は、通帳挿入時の通帳の状態を示している。
【０００６】
通帳１は、矢印Ａ方向に挿入され、その挿入時には、図１（Ａ）に示すように正常に挿入される場合、図１（Ｂ）及び（Ｃ）に示すようにふくらんだ状態で挿入される場合がある。図１（Ｂ）は、通帳挿入時に、通帳１の下側のページが下向きにふくらんだ状態を示し、図１（Ｃ）は、上側のページが上向きにふくらんだ状態を示している。いずれも、ふくらみ１Ａが通帳挿入口に引っ掛かって、通帳詰まりを生じる原因となる。
【０００７】
図２は、通帳の挿入状態の別の態様を示している。同図（Ａ）は通帳が挿入方向に沿って正しい方向に挿入された状態、同図（Ｃ）は斜め方向に挿入された状態を示している。通帳取り扱い装置本体２の前面に通帳挿入口３が設けられ、この通帳挿入口３の周囲に通帳挿入ガイド４が設けられている。操作者が、通帳１を、通帳挿入口３に対して正しいＡ方向に挿入せずに、誤って大きく傾いた状態で斜めに挿入すると、通帳挿入口３の部分で通帳詰まりが発生する。
【０００８】
図３は、通帳のふくらみ部によって通帳詰まりが生じる様子を示している。図３（Ａ）によって通帳のふくらみ１Ａが発生すると、図３（Ｂ）に示すようにこのふくらみ１Ａが通帳挿入口３に引っ掛かり、更に、このふくらみ１Ａが図３（Ｃ）に示すようにジャム部１Ｂとなって通帳詰まりが発生する。このように、通帳挿入口３に通帳挿入ガイド４を設けることによって通帳１が正しく挿入されるようにしても、図２に示すように、通帳１を大きく傾いて挿入したり、図３に示すように通帳１が膨らんだ状態で挿入されたりすると、通帳挿入口３において通帳１の用紙がジャムを起こして通帳詰まりが発生してしまう不都合がある。
【０００９】
そこで上記の通帳詰まりを防止するために、通帳ガイド４の形状を後方から前方にかけて広がるような形状にしたものがある。しかし、このような通帳挿入ガイドの形状の工夫をしたとしても、通帳１の挿入状態が悪ければ上記と同様な通帳詰まりが発生してしまう。また、通帳１を搬送する搬送路にセンサを配置し、このセンサによる通帳の搬送状態及び搬送時間をタイマで監視する手法もあるが、この方法では、通帳詰まりの原因となる通帳の挿入状態を検出することが出来ず、通帳詰まりを未然に防ぐことは原理的に不可能である。
【００１０】
そこでこの発明は、通帳挿入口にセンサを設置し，通帳挿入口に対する通帳の挿入状態をこのセンサで監視することにより通帳詰まりが生じるのを未然に防止することのできる通帳取り扱い装置を提供することにある。
【課題を解決するための手段】
【００１１】
上記の課題を解決するために、この発明は、通帳挿入口の挿入口上部と挿入口下部との間に光軸が設定され通帳の幅方向に複数個配置された第１の光学センサを備えている。通帳のふくらみが生じると、このふくらみによって光軸が遮られる。そこで、光軸が遮られているか遮られていないかを検出することによって、通帳がふくらんでいるかどうかを検出することが可能になる。通帳のふくらみが検出された時には、通帳の挿入状態が悪いと見なし、通帳の再挿入を表示手段上に表示する。
【００１２】
また、この発明の別の実施形態では、挿入口下部の左端部近辺と右端部近辺に、光軸が通帳の裏面に向けられた反射型の第２の光学センサを備えている。この構成では、通帳が斜め方向に挿入されると通帳挿入口に通帳の前端部が挿入された時の第２の光学センサ（左端部近辺と右端部近辺に設けられている）のそれぞれの出力レベル差が、正常に挿入された時よりも大きくなる。そこで、この第２の光学センサの出力を監視することによって、通帳が斜め方向に挿入されたそうでないかを検出し、斜め方向に挿入されたことを検知した時には、通帳の再挿入を促すよう表示手段上に表示する。
【００１３】
上記第２の光学センサは第１の光学センサの前方（操作者の手前方向）に配置し、第２の光学センサによって通帳が正しい方向に挿入されたことを検出すると搬送ローラによって通帳を後方に搬送し、その時、第１の光学センサの出力によって通帳が膨らんだ状態で搬送されているか否かを検出する。このような制御を行うことにより、通帳の斜め挿入とふくらんだ状態での挿入の両方の不適切な挿入状態を正しく検出することができる。
【発明の効果】
【００１４】
この発明によれば、通帳詰まりが実際に生じる前にその通帳詰まりの原因となる不適切な通帳挿入状態をセンサによって監視することができるため、通帳詰まりによる障害の発生を未然に防止することができる。
【発明を実施するための最良の形態】
【００１５】
図４（Ａ）は、この発明の実施形態である通帳取り扱い装置の概略斜視図である。
【００１６】
通帳取り扱い装置本体２の前面には通帳挿入口３が設けられ、この通帳挿入口３の周囲に通帳挿入ガイド４が設けられている。
【００１７】
図４（Ｂ）、（Ｃ）は、図４（Ａ）の点線で囲んだ部分の拡大図を示している。図４（Ｂ）に示すように、通帳挿入口３の向かって左側端部には、光学センサ５Ａが設けられていく。この光学センサ５Ａの光軸６Ａは、通帳挿入口３において通帳の幅方向に沿って内側から外側に向くように設定され、光学センサ５Ａは通帳の挿入口上部に設けられている投光部と挿入口下部に設けられている受光部とで構成されている。また、図４（Ｃ）に示すように、通帳挿入口３の右側端図には、２つ目の光学センサ５Ｂが設けられている。この光学センサ５Ｂで形成される光軸６Ｂは、通帳挿入口３において通帳の幅方向に沿って内側から外側に向くように設定され、挿入口上部に設けられている投光部と挿入口下部に設けられている受光部とで構成されている。図４（Ｄ）は、上記光学センサ５Ａ、５Ｂと通帳挿入口３の全体を示す図である。
【００１８】
図５は、通帳取り扱い装置に設けられる制御部の構成図である。
【００１９】
前記センサ５Ａ、５Ｂの出力は、それぞれ増幅回路１０Ａ、１０Ｂにおいて所定のレベルに増幅され、Ａ／Ｄコンバータ１１によってディジタル化され、メモリ１３に記憶される。ＣＰＵ及び周辺回路１２は、Ａ／Ｄコンバータ１１を制御し、またメモリ１３に対するデータの読み込み及び書き込み制御を行う。ＣＰＵ及び周辺回路１２には、さらに通帳取り扱い装置本体２内に設けられている搬送部を制御する搬送部１４と、通帳１に形成されている磁気ストライプやバーコード等の読み取りを行ったり、文字の印字及びその読み取りを行うリードライト部１５と、操作者に対して、文字や図形等によって操作案内等を行う表示部１６とが接続されている。  図６は、通帳挿入時の光学センサと通帳との位置関係、及び光学センサ５（５Ａ、５Ｂ）の出力（受光電圧）を示している。
【００２０】
図６（Ａ）は通帳１のふくらみ１Ａが図の左端部付近で形成されている状態を示している。図６（Ｂ）は、図６（Ａ）の状態での光学センサ５の受光電圧を示している。図６（Ｂ）において縦軸は受光電圧、横軸は通帳のふくらみ（厚さ）を示す。
【００２１】
図６（Ａ）では、光学センサ５Ａの光軸６Ａが通帳１のふくらみ１Ａによって遮られ、光学センサ５Ｂの光軸６Ｂはこのふくらみ１Ａによって遮られていない。したがって、図６（Ｂ）に示すように光学センサ５Ａの受光電圧Ｌ（５Ｂ）はしきい値ＴＨよりも高く、また、光学センサ５Ａの受光電圧Ｌ（５Ａ）はしきい値ＴＨよりも低い。一方、図６（Ａ）の１Ｃで示すように、通帳１のふくらみが全くない場合には、光軸６Ａ、６Ｂとも遮られることがないために、図６（Ｂ）の点線で示すように、光学センサ５Ａ、５Ｂの受光電圧はＬ（５Ａ、５Ｂ）のように両方ともしきい値ＴＨより高くなる。そこで、Ｌ（５Ａ）とＬ（５Ｂ）との差を見ることによって通帳１のふくらみ１Ａがあるかどうか、及び、そのふくらみ１Ａが通帳の左端部又は右端部のどちらか一方において生じているかどうかを判定することができる。
【００２２】
図６（Ｃ）は、通帳のふくらみ１Ａが左端部及び右端部の両方で発生している状態を示す。また、図６（Ｄ）は、その状態の時の光学センサ５（５Ａ、５Ｂ）の受光電圧を示している。この時は、光軸６Ａ、６Ｂともふくらみ１Ａによって遮られるために、各光学センサ５Ａ、５Ｂの受光電圧はともに低くなる。
【００２３】
以上のように、紙幣挿入口３に対して紙幣１を挿入する時に、通帳１にふくらみ１Ａが図６（Ａ）のように、または図６（Ｃ）のように生じた場合でも、２つの光学センサ５Ａ、５Ｂの受光電圧を監視することによって、通帳挿入口の後方に配置されている図示しない搬送ローラが駆動する前にその異常な状態を検出することができる。そこで、後述のように、このようなふくらみ１Ａが検出された時には、操作者に対して、表示部１６上に通帳１の再挿入を促す表示を行う。これにより、ふくらみ１Ａによって通帳が通帳詰まりを引き起こしてしまう事態を未然に防止することができる。
【００２４】
図７は、本発明の別の実施形態の通帳取り扱い装置を示している。
【００２５】
同図（Ａ）は同装置の正面図、同図（Ｂ）は側面図、同図（Ｃ）は同図（Ｂ）の点線で囲んだ部分の拡大図（反対側から見た図）である。また図７（Ｄ）は通帳挿入ガイドの部分拡大図である。
【００２６】
この通帳取り扱い装置では、通帳挿入口２の左端部近辺と右端部近辺において、光軸が垂直方向となるように反射型の光学センサ７（７Ａ、７Ｂ）が該通帳挿入口３の挿入口上部に設けられている。この反射型の光学センサ７Ａ，７Ｂの光軸８Ａ、８Ｂは、図７（Ｄ）に示すように、通帳挿入口３の挿入口上部と挿入口下部との間に設定されているために、通帳挿入口３に通帳１が挿入されると、この光軸８Ａ、８Ｂが、挿入された通帳１によって遮られ、それにより光学センサ７Ａ、７Ｂの受光電圧が変化する。
【００２７】
図８（Ａ）は通帳１のふくらみ１Ａが図の左端部付近で形成されている状態を示している。図８（Ｂ）は、図８（Ａ）の状態での光学センサ７の受光電圧を示している。図８（Ｂ）において縦軸は受光電圧、横軸は通帳のふくらみ（厚さ）を示す。
【００２８】
図８（Ａ）では、通帳１のふくらみ１Ａのために、光学センサ７Ａから投光された光の反射距離が短くなるが、光学センサ７Ｂから投光された光の反射距離は長い。したがって、図８（Ｂ）に示すように、光学センサ７Ａの受光電圧Ｌ（７Ａ）はしきい値ＴＨよりも高く、また、光学センサ７Ｂの受光電圧Ｌ（７Ｂ）はしきい値ＴＨよりも低い。一方、図８（Ａ）の１Ｃで示すように、通帳１のふくらみが全くない場合には、光学センサ７Ａ、光学センサ７Ｂの受光電圧Ｌ（７Ａ、７Ｂ）は、ともにしきい値ＴＨよりも低い。また、図８（Ｃ）のように、通帳１のふくらみ１Ａが通帳の左端部又は右端部にある場合は、図８（Ｄ）に示すように、光学センサ７Ａの受光電圧Ｌ（７Ａ）、光学センサ７Ｂの受光電圧Ｌ（７Ｂ）は、ともにしきい値ＴＨよりも高い。
【００２９】
上記のように、光学センサとして反射型の光学センサ７（７Ａ、７Ｂ）を設けた場合でも、それらの受光電圧に基づいて通帳挿入口３に挿入された通帳にふくらみ１Ａが存在するか否か、及び、そのふくらみ１Ａが左端部近辺又は右端部近辺のいずれか一方に生じているのか、又は両方に生じているのかを検出することができる。
【００３０】
以上の説明では、通帳１のふくらみ１Ａの検出を行う構成について説明したが、通帳１の斜め挿入を検出する構成例について図９を参照して説明する。
【００３１】
図９（Ａ）に示すように、通帳挿入ガイド４には、その前方に、後方から前方に向けて通帳挿入口が広がるようなテーパ状ガイド部４０が形成されており、このガイド部４０が通帳１の正常な挿入方向に平行となった部分、すなわち挿入口３の入り口部分には、その挿入口下部の左端部近辺と右端部近辺に、光軸が通帳１の裏面に向けられた反射型の（第２の）光学センサ９（９Ａ、９Ｂ）が設けられている。この反射型の光学センサ９（９Ａ、９Ｂ）によって通帳１が正常な方向に挿入されたか、あるいは斜め方向に挿入されたかを検出する。
【００３２】
図９（Ａ）は通帳１が正常に挿入された時の状態を示し、同図（Ｂ）はその時の光学センサ９（９Ａ、９Ｂ）の受光電圧を示す。また、図９（Ｃ）は、通帳１が斜め方向に挿入された時の状態を示し、同図（Ｄ）は、その時の光学センサ９Ａ、９Ｂの受光電圧を示している。
【００３３】
図９（Ａ）に示すように、通帳１が正常な方向に挿入されると、通帳１の挿入の長さに応じて光学センサ９Ａの受光電圧Ｌ（９Ａ）と光学センサ９Ｂの受光電圧Ｌ（９Ｂ）は、図９（Ｂ）に示すようにほぼ同じように変化していく。したがって、両者のレベル差はほとんど０である。
【００３４】
一方、図９（Ｃ）に示すように通帳１が斜め方向に挿入されると、図９（Ｄ）に示すように、通帳１の挿入長さに応じて、レベルＬ（９Ｂ）とレベルＬ（９Ａ）のレベル差ΔＬが生じてくる。これは、図９（Ｃ）に示すように、通帳１の挿入開始時にそれぞれの光学センサ９Ａ、９Ｂの受光量に差が生じるからである。そこで、このレベル差ΔＬを検出した時に、通帳挿入口３に対して通帳１が斜め方向に挿入されたことを検出することができる。この時、表示部１６に対して、通帳１の再挿入を促すようメッセージを表示することによって、操作者は通帳１を正しい方向に再挿入することになるから、通帳詰まりを未然に防ぐことができる。
【００３５】
以上の説明では、通帳のふくらみの検出と通帳の斜め方向の検出の具体的な構成を述べたが、これらの状態を検出する第１の光学センサと第２の光学センサとを装置本体に設けることが望ましい。
【００３６】
図１０は、上記第１の光学センサ５（５Ａ、５Ｂ）と第２の光学センサ９（９Ａ、９Ｂ）を設けた時の通帳取り扱い装置の概略の側面構成図を示している。光学センサ５（５Ａ、５Ｂ）に代えて光学センサ７（７Ａ、７Ｂ）を用いても良い。
【００３７】
装置本体２の前面には通帳挿入ガイド４が設けられ、この通帳挿入ガイド４の通帳挿入口前部には第２の光学センサ９が配置されている。また第２の光学センサ９の後方（通帳搬送方向に沿った後方）には通帳を吸入するための搬送ローラ２０が設けられ、さらにこの搬送ローラ２０の後方には第１の光学センサ５（５Ａ、５Ｂ）が設けられている。第１の光学センサ９、搬送ローラ２０、第２の光学センサ５は、通帳挿入口に設けられる要素である。
【００３８】
通帳挿入ガイド４に通帳１が挿入されると、第２の光学センサ９によって、その挿入方向が正常な方向か斜め方向かが検出され、正常な方向である場合に搬送ローラ２０が駆動されて通帳１が吸入される。また、搬送ローラ２０のすぐ後方に設けられている第１の光学センサ５は、搬送ローラ２０によって通帳１が吸入されると、その吸入時にふくらみ１Ａが生じているかどうかを検出する。
【００３９】
図１１は、上記通帳取り扱い装置の制御部に設けられているＣＰＵ（図５参照）の通帳挿入時の動作を示すフローチャートである。
【００４０】
通帳挿入ガイド４に通帳１が挿入されると、第２の光学センサ９によって通帳１が検出される（ＳＴ１）。第２の光学センサ９によって通帳１が検出されると、その通帳１が斜め方向に挿入されたかどうかの判定を行う（ＳＴ２）。斜め方向に挿入されていることを検出すると、通帳１の再挿入を促すようガイドメッセージを表示部１６に表示する（ＳＴ６）。通帳１が正常方向に挿入されていると、搬送ローラ２０を駆動し、通帳１を後方に吸入する（ＳＴ３）。すると、第１の光学センサ５によって通帳１が検出され、ふくらみ１Ａがあるかどうかが検出される（ＳＴ５）。ふくらみ１Ａが検出されると、搬送ローラ２０を逆転し通帳１の排出を行って（ＳＴ７）、再度挿入を行う旨のガイドメッセージを表示部１６に表示する（ＳＴ８）。ふくらみ１Ａが検出されない場合には、通帳１を搬送路２１上を搬送させることにより、その通帳取り扱い装置で必要な処理、たとえば、磁気ストライプの読み取りや、印字データの読み取り、印字等を行って、再び通帳挿入ガイド４に排出する。
【００４１】
以上の動作によって、通帳１の斜め挿入や通帳のふくらみのある状態で挿入されることを防止し、通帳挿入口において通帳詰まりが生じるのを未然に防止することができる。
【００４２】
図１０に示す構成図では、第１の光学センサ５を第２の光学センサ９の後方に設けたが、これらを同じ位置に設けることも可能である。
【図面の簡単な説明】
【００４３】
【図１】通帳の挿入時にふくらみが形成される状態を示している。
【図２】通帳の挿入方向が正常な場合と斜めの場合を示している。
【図３】通帳にふくらみが形成された場合の通帳詰まりが生じる過程を示している。
【図４】この発明の実施形態である通帳取り扱い装置において、第１の光学センサの配置を示している。
【図５】制御部の構成図である。
【図６】通帳のふくらみを検出する原理を説明するための図である。
【図７】第１の光学センサの他の構成を示す図である。
【図８】通帳のふくらみを検出する時の原理を説明するための図である。
【図９】第２の光学センサの配置図と、通帳の斜め方向の挿入状態を検出する原理について説明するための図である。
【図１０】第１の光学センサと第２の光学センサを設けた通帳取り扱い装置の概略側面断面図である。
【図１１】通帳挿入時の概略の制御動作を示すフローチャートである。
【符号の説明】
【００４４】
１−通帳
１Ａ−ふくらみ
３−通帳挿入口
４−通帳挿入ガイド
５（５Ａ、５Ｂ）−透過型の第１の光学センサ
７（７Ａ、７Ｂ）−反射型の第１の光学センサ
９（９Ａ、９Ｂ）−第２の光学センサ
【図１】
2007172298.tif 000003
【図２】
2007172298.tif 000004
【図３】
2007172298.tif 000005
【図４】
2007172298.tif 000006
【図５】
2007172298.tif 000007
【図６】
2007172298.tif 000008
【図７】
2007172298.tif 000009
【図８】
2007172298.tif 000010
【図９】
2007172298.tif 000011
【図１０】
2007172298.tif 000012
【図１１】
2007172298.tif 000013